(57)【要約】【課題】印刷用紙の紙詰まりの発生を高精度に防止する。【解決手段】印刷装置１において、判定手段１ｄが、環境情報検出手段１ｃで検出された印刷時の環境情報に基づいて、印刷の可否の判定を行う。即ち、判定手段１ｄは環境情報に基づいて印刷用紙が印刷に適する吸湿量であるかの判定を行う。具体的には、印刷用紙にカールが発生する吸湿量である場合には印刷を中止し、カールが発生しない吸湿量である場合には印刷を行う。これにより、印刷装置１では印刷用紙による紙詰まりの発生を防止することができる。【選択図】図１
2010280125.tif 000002
【特許請求の範囲】
【請求項１】
通信回路を介して印刷データを受信する通信手段と、
印刷時の環境状態を表す環境情報を検出する環境情報検出手段と、
前記環境情報検出手段で検出された前記環境情報に基づいて、印刷の可否を判定する判定手段と、
前記判定手段が印刷可を判定した場合に、前記通信手段が受信した前記印刷データに基づき印刷用紙に印刷出力を実行する印刷手段と、
を有することを特徴とする印刷装置。
【請求項２】
前記判定手段は、前記環境情報に基づいて前記印刷用紙が印刷に適する吸湿量であるかを判定することを特徴とする請求項１記載の印刷装置。
【請求項３】
前記環境情報は、前記印刷用紙がセットされてから新たに印刷が行われるまでの放置時間を有することを特徴とする請求項１記載の印刷装置。
【請求項４】
印刷不可である場合の前記環境情報を示す閾値情報が格納された閾値情報格納手段をさらに有し、
前記判定手段は、前記閾値情報格納手段に格納された前記閾値情報と、前記環境情報検出手段で検出された前記環境情報とに基づき印刷の可否を判定する、
ことを特徴とする請求項１記載の印刷装置。
【請求項５】
印刷データを送信する情報処理装置と、
通信回路を介して前記情報処理装置から前記印刷データを受信する通信手段と、
印刷時の環境状態を表す環境情報を検出する環境情報検出手段と、
前記環境情報検出手段で検出された前記環境情報に基づいて、印刷の可否を判定する判定手段と、
前記判定手段が印刷可を判定した場合に、前記印刷データに基づき印刷用紙に印刷出力を実行する印刷手段と、
を有する印刷装置と、
を有することを特徴とする印刷システム。
【請求項６】
通信手段が、通信回路を介して印刷データを受信し、
環境情報検出手段が、印刷時の環境状態を表す環境情報を検出し、
判定手段が、前記環境情報検出手段で検出された前記環境情報に基づいて、印刷の可否を判定し、
印刷手段が、前記判定手段が印刷可を判定した場合に、前記印刷データに基づき印刷用紙に印刷出力を実行する、
ことを特徴とする印刷制御方法。
【請求項７】
コンピュータを、
通信回路を介して印刷データを受信する通信手段、
印刷時の環境状態を表す環境情報を検出する環境情報検出手段、
前記環境情報検出手段で検出された前記環境情報に基づいて、印刷の可否を判定する判定手段、
前記判定手段が印刷可を判定した場合に、前記印刷データに基づき印刷用紙に印刷出力を実行する印刷手段、
として機能させることを特徴とする印刷制御プログラム。
【発明の詳細な説明】
【技術分野】
【０００１】
通信回路を介して受信した印刷データに基づき印刷出力を行う印刷装置、当該印刷装置を有する印刷システム、印刷制御方法及び印刷制御プログラムに関する。
【背景技術】
【０００２】
近年、環境問題を配慮して、省エネルギー化の意識が高まっている。オフィス及び学校等において、以下のような取り組みが行われている。例えば、消費電力を削減するために、就業時間内の空調及び電灯の利用が制限されている。また、プリンタを利用する場合には、片面が印刷された印刷用紙の他方の片面を利用したり、両面印刷を行う等をしたりして、コスト削減が図れている。
【０００３】
ところで、一般に日本の気候は高温多湿である。特に夏場において、空調の利用が制限されたオフィス等では、プリンタの給紙カセット内に長時間セットされた印刷用紙は吸湿しやすい状態となる。この状況下で印刷用紙を印刷に利用すると、定着器の熱によって印刷用紙の水分が蒸発するために、印刷用紙が反って（カールして）しまう。カールした印刷用紙はプリンタの搬送機構内を適切に搬送されない場合があり、プリンタ内で紙詰まりが発生しやすくなる。特に両面印刷の場合には、片面印刷の場合に比べて、搬送機構内で印刷用紙の搬送距離が長くなり、紙詰まりが顕著に発生しやすくなる。このように、省エネルギー化に向けた取り組みが結果として、印刷用紙の無駄を発生させてしまうという状況になっている。
【０００４】
このような問題が発生する原因として、例えば、次のような理由が考えられる。プリンタメーカ各社では、各種環境条件下でメーカ固有の推奨印刷用紙を用いたプリンタの性能基準に従って、紙詰まりの発生が規定値以下になるようにプリンタが設計されている。しかし、実際には、ユーザはコスト面等を考慮して、メーカの推奨外の安価な印刷用紙を用いている。このため、メーカが想定する制御では印刷用紙のカール並びに紙詰まり発生を防止することができずに、紙詰まりが発生していた。
【０００５】
そこで、プリンタの紙詰まりの対策として様々な方法が提案されている。例えば、印刷用紙の吸湿防止のためにメーカではプリンタの給紙カセットにセットした印刷用紙をできる限り、規定時間内に使い切るように規定している。また、プリンタ内に、プリンタ内部の温度及び湿度等を検出する環境センサを設置するようにしている。環境センサにより検出された温度及び湿度等を参照して、最適な印刷速度等の制御を行うことにより、印刷時の印刷用紙のカール並びに紙詰まりの発生を防止できる。環境センサを利用した別の例としては、過去の印刷条件、環境条件並びに印刷用紙の属性ごとに紙詰まりの発生履歴を記録しておく方法がある。この方法では、新たに行われる印刷時の温度、湿度等が当該発生履歴に類似するか否かを判定して、類似する場合には、印刷を中止して、紙詰まりの発生を抑制することができる（例えば、特許文献１参照）。
【先行技術文献】
【特許文献】
【０００６】
【特許文献１】特開２００６−２９７６５４号公報
【発明の概要】
【発明が解決しようとする課題】
【０００７】
しかし、大量印刷を行うようなユーザ以外には、規定時間内に印刷用紙を使い切ることは殆どない。このため、実際には給紙カセット内に印刷用紙が長時間セットされたままになり、結果として印刷用紙が吸湿して、紙詰まり発生が頻発している。したがって、規定時間内に印刷用紙を使い切るようにすることは事実上無意味となっている。
【０００８】
また、上記特許文献１では、印刷時の温度、湿度等の条件を検知することはできるが、長時間セットされたままの印刷用紙の当該条件については検知できない。したがって、紙詰まりの発生履歴は長時間セットされたままの場合については考慮されていないため、長時間セットされたままの印刷用紙については、紙詰まりの発生を予測して防止することができないという問題点があった。さらに、上記特許文献１では、発生履歴を構成するためには紙詰まりの発生の蓄積が必要となるため、ユーザ環境での一定の紙詰まりの発生を防止できないという別の問題点もあった。
【０００９】
上記の点を鑑みて、印刷用紙の紙詰まりの発生が防止される印刷装置、印刷システム、印刷制御方法及び印刷制御プログラムを提供することを目的とする。
【課題を解決するための手段】
【００１０】
開示の印刷装置は、通信回路を介して印刷データを受信する通信手段と、印刷時の環境状態を表す環境情報を検出する環境情報検出手段と、前記環境情報検出手段で検出された前記環境情報に基づいて、印刷の可否を判定する判定手段と、前記判定手段が印刷可を判定した場合に、前記通信手段が受信した前記印刷データに基づき印刷用紙に印刷出力を実行する印刷手段と、を有する。
【発明の効果】
【００１１】
上記の印刷装置、印刷システム、印刷制御方法及び印刷制御プログラムでは、紙詰まりの発生を高精度に防止することができる。
【図面の簡単な説明】
【００１２】
【図１】第１の実施の形態の印刷装置を説明するための図である。
【図２】第２の実施の形態の印刷システムを示す図である。
【図３】第２の実施の形態の印刷装置の構成図である。
【図４】第２の実施の形態の印刷装置のハードウェア構成を示す図である。
【図５】第２の実施の形態の印刷装置の構成を示すブロック図である。
【図６】第２の実施の形態の印刷実行処理の手順を示すフローチャート（その１）である。
【図７】第２の実施の形態の印刷実行処理の手順を示すフローチャート（その２）である。
【図８】第２の実施の形態の印刷実行処理の手順を示すフローチャート（その３）である。
【図９】第２の実施の形態の印刷実行処理の手順を示すフローチャート（その４）である。
【図１０】印刷実行処理の設定画面の一例を説明するための図である。
【図１１】閾値情報のデータ構造の一例を説明するための図である。
【図１２】両面印刷処理時の警告出力画面の一例を説明するための図である。
【図１３】片面印刷処理時の警告出力画面の一例を説明するための図である。
【発明を実施するための形態】
【００１３】
以下、実施の形態について、図面を参照しながら説明する。
［第１の実施の形態］
図１は、第１の実施の形態の印刷装置を説明するための図である。
【００１４】
図１に示す印刷装置１は、通信回路を介して接続された情報処理装置（図示を省略）からの印刷データを受け付けて、内部にセットされた印刷用紙に印字して印刷出力を行う。なお、ユーザは情報処理装置を通じて、印刷装置１に対する操作入力及び印刷装置１からの通知を受け付けることができる。そして、このような印刷出力を行う印刷装置１は、閾値情報格納手段１ａ、通信手段１ｂ、環境情報検出手段１ｃ、判定手段１ｄ、印刷手段１ｅ及び警告出力手段１ｆを有する。なお、印刷装置１の各処理手段はコンピュータが印刷制御プログラムを実行することにより、その処理機能が実現される。
【００１５】
閾値情報格納手段１ａは、印刷ができない場合の環境情報の閾値を示す閾値情報が格納されている。なお、環境情報とは、環境状態を示すものであって、具体的には、印刷装置１で印刷が行われる時の印刷装置１内の温度及び湿度、印刷装置１にセットされている印刷用紙の放置時間である。また、印刷装置１内にセットされた印刷用紙は、当該環境情報に応じて印刷に適する吸湿量が変化する。このような閾値情報として、例えば、印刷用紙にカールが発生する、不可温度、不可湿度、及び所定時間である。
【００１６】
即ち、印刷時の環境情報が、閾値情報格納手段１ａに格納されている不可温度、不可湿度、所定時間の範囲に該当すると印刷用紙の吸湿量が増加して、印刷用紙にカールが発生してしまう。したがって、カールが生じた印刷用紙で印刷出力を試みると印刷装置１内で紙詰まりが発生してしまう。なお、閾値情報格納手段１ａに格納される閾値情報は、ユーザによって予め設定される。
【００１７】
通信手段１ｂは、情報処理装置から通信回路を介して送信される印刷データを受け付ける。また、通信手段１ｂは、また、後述する警告出力手段１ｆからの印刷が不可能である旨の警告出力命令を情報処理装置に通信回路を介して送信する。
【００１８】
環境情報検出手段１ｃは、例えば、印刷装置１に配置されており、印刷時の印刷装置１の温度、湿度、印刷用紙の放置時間等の環境情報を検出する。
判定手段１ｄは、閾値情報格納手段１ａに格納されている閾値情報と、環境情報検出手段１ｃで検出された印刷装置１の温度及び湿度、並びに印刷用紙の放置時間とを比較する。判定手段１ｄはこれらの比較を行って、印刷装置１にセットされた印刷用紙で印刷が可能か否かを判定する。また、判定手段１ｄは、印刷可能と判定すると後述する印刷手段１ｅに印刷指示命令を送信する。一方、印刷不可能と判定すると後述する警告出力手段１ｆに警告出力命令を送信する。
【００１９】
印刷手段１ｅは、判定手段１ｄから印刷指示命令を受け付けると、通信手段１ｂで受け付けた印刷データに基づいてセットされている印刷用紙に印刷して印刷媒体を出力する。
警告出力手段１ｆは、判定手段１ｄから警告出力命令を受け付けると、印刷が不可能である旨を通信手段１ｂに通知する。
【００２０】
次に、上記構成を有する印刷装置１における印刷実行処理について、図１を参照して説明する。
まず、ユーザは情報処理装置を通じて、印刷装置１内にセットされている印刷用紙の環境情報の閾値を設定する。なお、閾値情報には、既述の通り、印刷用紙にカールが発生する、不可温度、不可湿度、及び所定時間が設定される。また、設定された閾値情報は、通信手段１ｂで受け付けて、印刷装置１の閾値情報格納手段１ａに格納されるようにしても構わない。
【００２１】
ユーザにより情報処理装置を通じて、所定の文章または画像等の印刷内容を印刷するための印刷データが印刷装置１に送信される。
通信手段１ｂが印刷データを受信すると、環境情報検出手段１ｃが印刷装置１の環境情報を検出する。当該環境情報は、既述の通り、印刷装置１で印刷が行われる時の温度及び湿度、印刷装置１にセットされていた印刷用紙の放置時間である。
【００２２】
判定手段１ｄは、閾値情報格納手段１ａに格納されている閾値情報と、環境情報検出手段１ｃで検出された印刷装置１の温度及び湿度、並びに印刷用紙の放置時間とを比較する。例えば、環境情報検出手段１ｃで検出された印刷装置１の放置時間が、閾値情報格納手段１ａに格納された所定時間内でない場合には、印刷装置１にセットされた印刷用紙の吸湿量が多くなり、この状態で印刷を行うと印刷用紙にカールが発生する。また、環境情報検出手段１ｃで検出された印刷装置１の温度及び湿度が、閾値情報格納手段１ａに格納された不可温度及び不可湿度の範囲にそれぞれ該当する場合も同様に印刷用紙にカールが発生する。そして、両者の場合は印刷装置１の内部で紙詰まりが生じる可能性が高い。
【００２３】
判定手段１ｄはこのような比較を行って、印刷装置１にセットされた印刷用紙で印刷が可能か否かを判定する。印刷可能である場合には、印刷手段１ｅに印刷指示命令を通知する。一方、印刷不可能であると判定した場合には、警告出力手段１ｆに警告出力命令を通知する。
【００２４】
印刷手段１ｅは、判定手段１ｄから印刷指示命令を受け付けて、印刷データの内容を基にセットされている印刷用紙に印刷して印刷媒体を出力する。
一方、警告出力手段１ｆは、判定手段１ｄから警告出力命令を受け付けて、印刷が不可能である旨を通信回線を介して接続された情報処理装置に通知する。ユーザは、情報処理装置により印刷が不可能であることを認識することができ、印刷中止、または印刷用紙交換等の対処を行うことができる。
【００２５】
このような印刷装置１により、内部にセットされた印刷用紙のカールの発生が予測される。このため、印刷時に印刷装置１内に印刷用紙による紙詰まりを事前に予防することが可能となる。
【００２６】
以下、このような印刷装置を有する印刷システムを例に挙げて、印刷装置及び印刷装置における印刷実行処理について具体的に説明する。
［第２の実施の形態］
図２は、第２の実施の形態の印刷システムを示す図である。
【００２７】
図２に示す印刷システム１００は、印刷装置１０と、パーソナルコンピュータ３０ａ〜３０ｃと、がネットワーク２０を介して相互に接続されている。
パーソナルコンピュータ３０ａ〜３０ｃは環境情報の閾値、印刷データ及び印刷指示を送信するホスト端末である。パーソナルコンピュータ３０ａ〜３０ｃは、それぞれ異なるユーザが使用するものとする。また、パーソナルコンピュータ３０ａ〜３０ｃの各ユーザは、ＬＡＮ（Local Area Network）等のネットワーク２０を介して、ネットワークプリンタとして印刷装置１０を共用している。なお、パーソナルコンピュータ３０ｃはインターネット４０を介して印刷装置１０を共有している。各ユーザは、文書または画像等の印刷出力の要求時には、それぞれのパーソナルコンピュータを操作して印刷装置１０に印刷出力を実行させる。このとき、ユーザが操作しているパーソナルコンピュータからネットワーク２０を介して印刷要求と共に文書データや画像データ等の内容を示す印刷データが印刷装置１０に送信される。
【００２８】
印刷装置１０は、ネットワーク２０を介して送信された印刷データを受信すると、印刷データに基づいて印刷装置１０内にセットされている印刷用紙に印刷出力を実行する。これにより、ユーザが求める文書等の印刷内容が印刷用紙上に印刷される。
【００２９】
なお、本実施の形態の印刷システム１００では、印刷装置１０のみを有するが、これに限らず、複数台の印刷装置を有してもよい。また、本実施の形態の印刷システム１００では、パーソナルコンピュータ３０ａ〜３０ｃを有するが、これに限らず、パーソナルコンピュータの台数は、１台または２台であってもよく、４台以上であってもよい。
【００３０】
このような印刷システム１００で印刷出力を実行する印刷装置１０の詳細について説明する。
図３は、第２の実施の形態の印刷装置の構成図である。
【００３１】
図３に示す印刷装置１０は、印刷用紙に文書データ並びに画像データ等の内容を示す印刷データに基づいて印刷出力を実行する。
印刷装置１０は、印刷用紙がセットされる給紙部Ａ、印刷出力された印刷用紙が排紙される排紙部Ｂ、カートリッジＣ及び両面ユニット部Ｄを有する。さらに、印刷装置１０は、文字等の情報を表示する表示パネル１０ｄ１、ユーザの操作入力を受け付ける操作部１０ｅ１を有する。
【００３２】
給紙部Ａは、用紙サイズごとに印刷用紙がセットされる給紙カセットＡ１〜Ａ４が、着脱可能に設置されている。印刷装置１０内に紙詰まりが発生した際には、該当する給紙カセットを取り外し、印刷装置１０部内に残っている印刷用紙を取り除くことができる。なお、給紙カセットＡ１〜Ａ４には同サイズの印刷用紙をセットするようにしても構わない。また、給紙カセットは、４台に限らず、１台〜３台、５台以上設置するようにしても構わない。このような給紙部Ａにセットされた印刷用紙は、印刷装置１０内部の搬送機構により搬送されて、印刷部１０ｃ（図４において後述）で印字されて、排紙部Ｂから排紙される。
【００３３】
排紙部Ｂは、印刷部１０ｃ（図４において後述）によって印刷出力された印刷用紙が排紙される機構である。排紙部ＢにはカバーＢ１があり、カバーＢ１を開けた部分にカートリッジＣが着脱可能に設置される。
【００３４】
カートリッジＣは、内部に現像剤が充填されており、印刷装置１０の図３中に示した設置位置Ｃ１に設置されて、カバーＢ１が閉じられる。このように設置されたカートリッジＣは、印刷用紙が搬送方向Ｘに沿って搬送される搬送路に露出し、印刷用紙に印字する印字部（図示を省略）に接触して、現像剤を当該印字部に供給する。
【００３５】
両面ユニット部Ｄは、印刷装置１０で両面印刷を行う場合に用いられる。まず、給紙部Ａのいずれかの給紙カセットから搬送された印刷用紙が搬送方向Ｘに沿って搬送され印字される。印字された印刷用紙は、排紙部Ｂの手前まで搬送されると、印刷用紙の（搬送方向Ｘに対して）後方から搬送方向Ｙに沿って両面ユニット部Ｄに搬送され、再びカートリッジＣが設置された印字部まで搬送される。この時、印刷用紙の裏面側が印字部に接触して、印字される。印字後は、搬送方向Ｘに沿って排紙部Ｂに搬送される。このように両面ユニット部Ｄは、印刷用紙を両面ユニット部Ｄの内部で周回させて、裏面にも印字させることができる。
【００３６】
また、表示パネル１０ｄ１は、表示部１０ｄ（図４において後述）からの制御に基づいて文字または画像を表示する表示画面を有する表示装置である。操作部１０ｅ１は、操作入力部１０ｅ（図４において後述）に接続された、印刷装置１０の操作を行うための入力装置である。なお、表示パネル１０ｄ１と操作部１０ｅ１とが合わさった、所謂、タッチパネルを採用しても構わない。また、表示パネル１０ｄ１及び操作部１０ｅ１を設置しないようにして、印刷装置１０の設定等をパーソナルコンピュータを介して行うようにしても構わない。
【００３７】
また、印刷装置１０内には、印刷装置１０の温度及び湿度を検出するセンサ（図示を省略）が設置されている。同様に、印刷装置１０の設置位置を検出する、例えばＧＰＳ（Global Positioning System）センサのような位置検出装置（図示を省略）が設置されている。
【００３８】
なお、本実施の形態では印刷装置１０について説明したが、これに限らず、印刷機能を有する装置であれば印刷装置以外の装置であってもよく、例えば、印刷装置やＦＡＸ機、コピー機等の機能を有する多機能型印刷装置であってもよい。
【００３９】
図４は、第２の実施の形態の印刷装置のハードウェア構成を示す図である。
図４に示す印刷装置１０は、ＣＰＵ（Central Processing Unit）１０ａによって装置全体が制御されている。ＣＰＵ１０ａには、バス１０ｇを介して記憶部１０ｂ、印刷部１０ｃ、表示部１０ｄ、操作入力部１０ｅ及び通信インタフェース１０ｆが接続されている。また、ＣＰＵ１０ａには、印刷装置１０内に設置した、印刷装置１０の温度及び湿度を検出するセンサ（図示を省略）及び、印刷装置１０の設置位置を検出する位置検出装置が接続されている。さらに、ＣＰＵ１０ａには、時計機能を有するタイマが接続されている。タイマはカレンダー機能も付加され、工場出荷時に年月日時情報が予め入力されており、現在日時を知ることができる。
【００４０】
記憶部１０ｂは、ＲＡＭ（Random Access Memory）、ＲＯＭ（Read Only Memory）、ハードディスクドライブ（ＨＤＤ:Hard Disk Drive）等を有する。記憶部１０ｂには、印刷装置１０の制御や印刷出力の実行等に必要なプログラム及びデータ並びに印刷データの少なくとも一部が格納される。例えば、印刷装置１０の制御は、ＲＯＭに格納されているプリンタファームウェアをＣＰＵ１０ａによりＲＡＭに展開し、ＲＡＭ上でプログラムを実行することによって行う。また、印刷装置１０の固有の設定情報等はＲＯＭに格納され、印刷装置１０の起動時にＲＡＭに展開される。
【００４１】
印刷部１０ｃは、ＣＰＵ１０ａの制御により、印刷データに基づいて印刷出力を行う。
表示部１０ｄには、表示パネル１０ｄ１（図３）が接続されている。表示部１０ｄは、ＣＰＵ１０ａからの命令に従って、画像を表示パネル１０ｄ１の画面に表示させる。
【００４２】
操作入力部１０ｅには、操作部１０ｅ１（図３）が接続されている。操作入力部１０ｅは、操作部１０ｅ１から送信される信号を、バス１０ｇを介してＣＰＵ１０ａに送信する。
【００４３】
通信インタフェース１０ｆは、ネットワーク２０に接続されている。通信インタフェース１０ｆは、ネットワーク２０を介して、パーソナルコンピュータとの間でデータの送受信を行う。
【００４４】
なお、表示パネル１０ｄ１及び操作部１０ｅ１を設置しない場合には、表示部１０ｄ及び操作入力部１０ｅの構成を省略することができる。
以上のようなハードウェア構成によって、第２の実施の形態の処理機能を実現することができる。
【００４５】
図５は、第２の実施の形態の印刷装置の構成を示すブロック図である。
図５に示す印刷装置１０は、ネットワーク２０（図２）を介して接続されたパーソナルコンピュータ３０ａ〜３０ｃからの印刷データ等を受け付けて印刷出力を実行する。
【００４６】
印刷装置１０は、閾値情報格納部１１、通信部１２、印字面指定部１３、判定部１４、制御部１５、印刷部１６、環境情報検出部１７、計測部１８及び警告出力部１９を有する。なお、印刷装置１０は、図１の印刷装置１として動作する。したがって、閾値情報格納部１１は閾値情報格納手段１ａの、通信部１２は通信手段１ｂ、判定部１４は判定手段１ｄのそれぞれの処理機能を実現する。さらに、環境情報検出部１７及び計測部１８は環境情報検出手段１ｃの、警告出力部１９は警告出力手段１ｆの、制御部１５及び印刷部１６は印刷手段１ｅのそれぞれの処理機能を実現する。
【００４７】
閾値情報格納部１１は、環境情報の閾値を示す閾値情報が格納されている。環境情報としては、印刷装置１０の印刷部１６の温度及び湿度、印刷装置１０の給紙部Ａにセットされている各印刷用紙の放置時間である。さらに、本実施の形態における環境情報としては、日付、印刷装置１０の設置位置も含む。閾値情報として、印刷用紙にカールが発生する両面不可温度、両面不可湿度、片面不可温度、片面不可湿度及び所定時間のそれぞれが設定される。また、閾値情報としては、印刷用紙にカールが発生しにくい期間と地域とをそれぞれ表す除外期間及び除外地域が設定される。具体的に、除外期間とは、印刷用紙の吸湿量が比較的少ない、例えば、日本においては１１月〜２月の期間である、除外地域も同様に、印刷用紙の吸湿量が比較的少ない、例えば、乾燥しているような所定の地域である。当該閾値情報は、ユーザによって、使用するプリント用紙の材質等に応じて予めパーソナルコンピュータを介して設定されるようにすることができる。
【００４８】
通信部１２は、ネットワーク２０を介したパーソナルコンピュータから送信される印刷データを取得すると共に、印刷出力の実行を制御する制御データ、環境情報の閾値を示す閾値情報、並びにその他のデータを受け付ける。また、通信部１２は、受け付けた閾値情報を閾値情報格納部１１に格納する。なお、印刷データは、印刷用紙に印刷出力する文書データや画像データ等の印刷内容を示すデータである。制御データは、印刷用紙のサイズ、印刷枚数及び印刷用紙に対する印刷面（両面または片面）のデータである。また、通信部１２は、後述する警告出力部１９からの警告データをパーソナルコンピュータにネットワーク２０を介して送信する。
【００４９】
印字面指定部１３は、通信部１２で受け付けた制御データに応じて、印刷データを印刷出力する印刷用紙の印字面を指定する。
判定部１４は、閾値情報格納部１１に格納されている閾値情報と、後述する環境情報検出部１７で検出された印刷装置１０の温度、湿度、設置位置とを比較する。さらに、当該閾値情報と、現在日時並びに計測部１８で計測された印刷用紙の放置時間とを比較する。判定部１４はこれらの比較を行って、印刷用紙で印刷可能か否かを判定する。
【００５０】
なお、現在日時については、図４で説明したタイマに代わって、ＮＴＰ（Network Time Protocol：RFC1305，1769等）プロトコル等の時刻合わせのプロトコルを搭載することによりハードウェア的なタイマを搭載しなくても印刷装置１０に時計機能を実現することができる。また、パーソナルコンピュータは通常時計機能を備えており現在日時を持っている。パーソナルコンピュータから印刷装置１０に印刷データを送信したときに、パーソナルコンピュータが保持する現在日時に関する情報を印刷データと共に、印刷装置１０に送信する。そして、印刷装置１０にて印刷データを受信したときに印刷データ内の日時情報を参照して、現在の日時を把握することも容易に実現できる。
【００５１】
制御部１５は、判定部１４で印刷可能であると判定された場合に、または通信部１２で受信した制御データに応じて、印刷部１６に制御データに基づいた印刷指令信号を送信する。
【００５２】
印刷部１６は、制御部１５から印刷指令信号を受信すると、通信部１２で受信した印刷データ及び制御データに基づいて、給紙部Ａにセットされている印刷用紙で印刷出力を実行する。
【００５３】
環境情報検出部１７は、印刷時の印刷装置１０の印刷部１６の温度及び湿度、印刷装置１０の設置位置を検出する。
計測部１８は、印刷装置１０の給紙部Ａにセットされている各印刷用紙の放置時間を計測する。なお、放置時間の計測方法の具体例について説明する。まず、印刷装置１０に電源が投入されて印刷が可能な状態になると、給紙部Ａの開閉状態の監視を開始する。監視中に給紙カセットの開閉状態が「開」から「閉」に変化した場合に、対象の給紙カセットの印刷用紙が交換されたものと判断する。そして、判断した時点からの経過時間を対象給紙カセットでの放置時間としてカウントアップしていく。カウントアップされた放置時間を環境情報として利用する。別の方法としては、給紙カセット内の印刷用紙の有無、印刷用紙の残量を検出可能な検出装置を印刷装置１０に設置する。当該検出装置による印刷用紙の有無及び残量に加えて、上記の開閉状態の検出結果を組み合わせて、高精度に印刷用紙の交換を判断することが可能となる。給紙カセットの開閉状態の検出以外の方法としては、最後に印刷が実行されてからの経過時間を計測しても構わない。
【００５４】
警告出力部１９は、判定部１４で印刷不可能であると判定された場合に、通信部１２を介してパーソナルコンピュータに、給紙部Ａにセットされている印刷用紙で印刷出力できない旨を通知する。これに加えて、警告出力部１９は、パーソナルコンピュータに次の印刷処理を選択させる画面を出力させるようにすることも可能である。
【００５５】
次に、本実施の形態で実行される印刷出力実行処理について説明する。
図６〜図９は、第２の実施の形態の印刷実行処理の手順を示すフローチャートである。
図１０は、印刷実行処理の設定画面の一例を説明するための図、図１１は、閾値情報のデータ構造の一例を説明するための図である。また、図１２及び図１３は、それぞれ両面または片面印刷処理時の警告出力画面の一例を説明するための図である。
【００５６】
図６〜図９に示す印刷実行処理は、印刷装置１０において実行される処理である。この印刷実行処理は、印刷装置１０がパーソナルコンピュータからネットワーク２０（図２）を介して送信された印刷データ及び制御データに基づいて印刷出力を実行する。
【００５７】
まず、ユーザは、印刷用紙にカールが発生しない両面不可温度、両面不可湿度、片面不可温度、片面不可湿度及び所定時間をパーソナルコンピュータに操作入力して、それぞれ設定する。さらに、ユーザは、同様に、印刷用紙にカールが発生しにくい除外期間及び除外地域をそれぞれ設定する。
【００５８】
例えば、図１０に示されるようなパーソナルコンピュータの表示画面に表示された設定画面５０に対して、ユーザは環境情報の閾値を入力して設定することができる。基本設定領域５１では、所定時間（図１０中では「時間」と表記）、除外期間及び除外地域が、放置時間設定領域５１ａ、除外期間設定領域５１ｂ及び除外地域設定領域５１ｃにそれぞれ入力される。
【００５９】
また、温度・湿度設定領域５２では、両面不可温度、両面不可湿度、片面不可温度及び片面不可湿度が、両面不可温度設定領域５２ａ、両面不可湿度設定領域５２ｂ、片面不可温度設定領域５２ｃ及び片面不可湿度設定領域５２ｄにそれぞれ入力される。
【００６０】
ユーザは、各設定領域に入力した閾値情報を確定する場合には設定ボタン５３を画面上でクリックする。また、入力した閾値情報をクリアする場合にはリセットボタン５４を同様にクリックする。
【００６１】
このように設定された環境情報の閾値は、パーソナルコンピュータから通信部１２に受け付けられて、通信部１２は、受け付けたこれらの環境状態の閾値を示す閾値情報を閾値情報格納部１１に格納する。
【００６２】
閾値情報格納部１１に格納された閾値情報は、例えば、図１１に示されるように、各環境情報に対して、変数名及び設定値が設定される。
このような初期設定が完了して、ユーザは、印刷指示を印刷装置１０に送信する。印刷装置１０は、文書データ等の印刷データ及び制御データに基づき、印刷処理の実行を開始する。
【００６３】
［ステップＳ１］
通信部１２は、ユーザによってパーソナルコンピュータを介して、印刷データ及び制御データを受け付ける。なお、既述の通り、印刷データは、印刷用紙に印刷出力する文書データや画像データ等の印刷内容を示すデータである。また、制御データは、ユーザによってそれぞれ指定された、印刷用紙のサイズ、給紙カセット、印刷枚数及び印刷用紙に対する印刷面（両面または片面）のデータである。
【００６４】
［ステップＳ２］
印字面指定部１３は、通信部１２が受け付けた制御データに応じて、印刷用紙の印字面を指定する。指定した印字面が両面である場合には、次の処理はステップＳ３に進められ、指定した印字面が両面でない場合、即ち印字面が片面である場合には、次の処理はステップＳ２３に進められる。
【００６５】
［ステップＳ３］
環境情報検出部１７は、印刷装置１０の印刷部１６の温度、湿度及び設置位置、並びに現在日時を取得する。さらに、計測部１８は、印刷装置１０の給紙部Ａにセットされている印刷用紙の放置時間を計測する。
【００６６】
［ステップＳ４］
判定部１４は、ステップＳ３で取得した印刷装置１０の印刷部１６の温度及び湿度が、閾値情報格納部１１に格納された両面不可温度及び両面不可湿度の範囲内にそれぞれ該当するか否かを判定する。範囲内にそれぞれ該当する場合には、次の処理はステップＳ８に進められ、該当しない場合には、次の処理はステップＳ５に進められる。
【００６７】
［ステップＳ５］
判定部１４は、ステップＳ３で取得した印刷装置１０の設置位置が、閾値情報格納部１１に格納された除外地域に該当するか否かを判定する。範囲内に該当する場合には、次の処理はステップＳ１３に進められ、該当しない場合には、次の処理はステップＳ６に進められる。
【００６８】
［ステップＳ６］
判定部１４は、ステップＳ３で取得した印刷時の現在日時が、閾値情報格納部１１に格納された除外期間に該当するか否かを判別する。除外期間に該当する場合には、次の処理はステップＳ１３に進められ、該当しない場合には、次の処理はステップＳ７に進められる。
【００６９】
［ステップＳ７］
判定部１４は、ステップＳ３で取得した印刷装置１０にセットされた印刷用紙の放置時間が、閾値情報格納部１１に格納された所定時間の範囲内に該当するか否かを判別する。範囲内に該当する場合には、次の処理はステップＳ１３に進められ、該当しない場合には、次の処理はステップＳ８に進められる。
【００７０】
［ステップＳ８］
警告出力部１９は、通信部１２からパーソナルコンピュータに対して、印刷不可能である旨の結果を出力する。さらに、パーソナルコンピュータに対してその後の印刷処理を選択させる画面を表示させる。選択させる印刷処理としては、「片面印刷への切り替え」、「印刷用紙の交換」、「印刷の中止」、「両面印刷の実行」があり、これらを表示させて、ユーザによる選択結果を受け付ける。
【００７１】
例えば、図１２に示される警告出力画面６０のように、紙詰まりが発生する可能性を警告すると共に、印刷処理選択領域６１に、その後の印刷処理を選択させる画面を表示させる。ユーザは、印刷処理選択領域６１の中から所望の印刷処理を選択し、当該印刷処理を確定する場合には、ＯＫボタン６２を画面上でクリックする。
【００７２】
［ステップＳ９］
通信部１２は、ユーザから印刷不可後の印刷処理の選択結果を受け付ける。なお、本実施の形態で選択できる印刷処理は、ステップＳ８で示した通り、「片面印刷への切り替え」、「印刷用紙の交換」、「印刷の中止」、「両面印刷の実行」とする。
【００７３】
［ステップＳ１０］
通信部１２が、ユーザから片面印刷への印字面の切り替え指示を受け付けた場合には、次の処理はステップＳ２３に進められる。他の指示を受け付けた場合には、次の処理はステップＳ１１に進められる。
【００７４】
［ステップＳ１１］
通信部１２が、ユーザから印刷用紙の交換指示を受け付けた場合には、次の処理はステップＳ１３に進められる。他の指示を受け付けた場合には、次の処理はステップＳ１２に進められる。
【００７５】
［ステップＳ１２］
通信部１２が、ユーザから印刷の中止指示を受け付けた場合には、次の処理はステップＳ１４に進められる。他の指示を受け付けた場合、即ち両面印刷の続行指示を受け付けた場合には、次の処理はステップＳ１３に進められる。
【００７６】
［ステップＳ１３］
制御部１５は、印刷データに基づいて、印刷部１６に印刷用紙の両面に印刷させて、印刷実行処理が終了する。
【００７７】
なお、ユーザが印刷用紙の交換指示を選択した場合（ステップＳ１１）には、制御部１５は印刷処理を一旦停止する。そして、計測部１８によって、給紙カセットの開閉状態が「閉」、「開」、そして「閉」に変化したことが検知された場合に、対象の給紙カセットの印刷用紙が吸湿していない新しいものに交換されたものと判断され、制御部１５によって印刷部１６の印刷が再び実行される。
【００７８】
［ステップＳ１４］
制御部１５は、印刷部１６の印刷用紙への印刷を中止させて、印刷実行処理が終了する。
【００７９】
［ステップＳ２３］
環境情報検出部１７は、再び、印刷装置１０の印刷部１６の温度、湿度及び設置位置を取得する。
【００８０】
［ステップＳ２４］
判定部１４は、ステップＳ２３で取得した印刷装置１０の印刷部１６の温度及び湿度が、閾値情報格納部１１に格納された片面不可温度及び片面不可湿度の範囲内にそれぞれ該当するか否かを判定する。範囲内にそれぞれ該当する場合には、次の処理はステップＳ２８に進められ、該当しない場合には、次の処理はステップＳ２５に進められる。
【００８１】
［ステップＳ２５］
判定部１４は、ステップＳ３で取得した印刷装置１０の設置位置が、閾値情報格納部１１に格納された除外地域に該当するか否かを判定する。範囲内に該当する場合には、次の処理はステップＳ３３に進められ、該当しない場合には、次の処理はステップＳ２６に進められる。
【００８２】
［ステップＳ２６］
判定部１４は、ステップＳ３で取得した印刷時の現在日時が、閾値情報格納部１１に格納された除外期間に該当するか否かを判別する。除外期間に該当する場合には、次の処理はステップＳ３３に進められ、該当しない場合には、次の処理はステップＳ２７に進められる。
【００８３】
［ステップＳ２７］
判定部１４は、ステップＳ３で取得した印刷装置１０にセットされた印刷用紙の放置時間が、閾値情報格納部１１に格納された所定時間の範囲内に該当するか否かを判別する。範囲内に該当する場合には、次の処理はステップＳ３３に進められ、該当しない場合には、次の処理はステップＳ２８に進められる。
【００８４】
［ステップＳ２８］
警告出力部１９は、通信部１２からパーソナルコンピュータに対して、印刷不可能である旨の結果を出力する。さらに、パーソナルコンピュータに対してその後の印刷処理を選択させる画面を表示させる。選択させる印刷処理としては、「印刷用紙の交換」、「印刷の中止」、「片面印刷の実行」があり、これらを表示させて、ユーザによる選択結果を受け付ける。
【００８５】
例えば、図１３に示される警告出力画面７０のように、紙詰まりが発生する可能性を警告すると共に、印刷処理選択領域７１に、その後の印刷処理を選択させる画面を表示させる。ユーザは、印刷処理選択領域７１の中から所望の印刷処理を選択し、当該印刷処理を確定する場合には、ＯＫボタン７２を画面上でクリックする。
【００８６】
［ステップＳ２９］
通信部１２は、ユーザから印刷不可後の印刷処理の選択結果を受け付ける。なお、本実施の形態で選択できる印刷処理は、ステップＳ２８の通り、「印刷用紙の交換」、「印刷の中止」、「片面印刷の実行」とする。
【００８７】
［ステップＳ３１］
通信部１２が、ユーザから印刷用紙の交換指示を受け付けた場合には、次の処理はステップＳ３３に進められる。他の指示を受け付けた場合には、次の処理はステップＳ３２に進められる。
【００８８】
［ステップＳ３２］
通信部１２が、ユーザから印刷の中止指示を受け付けた場合には、次の処理はステップＳ３４に進められる。他の指示を受け付けた場合、即ち片面印刷の続行指示を受け付けた場合には、次の処理はステップＳ３３に進められる。
【００８９】
［ステップＳ３３］
制御部１５は、印刷データに基づいて、印刷部１６に印刷用紙の片面に印刷させて、印刷実行処理が終了する。
【００９０】
なお、ユーザが印刷用紙の交換指示を選択した場合（ステップＳ３１）には、制御部１５は印刷処理を一旦停止する。そして、計測部１８によって、給紙カセットの開閉状態が「閉」、「開」、そして「閉」に変化したことが検知された場合に、対象の給紙カセットの印刷用紙が吸湿していない新しいものに交換されたものと判断され、制御部１５によって印刷部１６の印刷が再び実行される。
【００９１】
［ステップＳ３４］
制御部１５は、印刷部１６の印刷用紙への印刷を中止させて、印刷実行処理が終了する。
【００９２】
上記の印刷実行処理では、予め設定した印刷用紙にカールが発生する閾値と、印刷時の印刷装置１０の環境情報とを比較することにより、印刷用紙のカールの発生が判定される。特に、給紙部Ａ内に印刷用紙の放置時間を考慮することにより、印刷用紙のカールの発生の判定結果の精度が向上する。したがって、判定結果に応じて、印刷の実行及び中止を選択できるため、印刷用紙による紙詰まりを防止することが可能となった。
【００９３】
なお、ステップＳ１０〜Ｓ１２の処理の順序は上記の印刷実行処理に限らない。また、ステップＳ３１，Ｓ３２についても同様に上記の印刷実行処理に限らない。
また、ステップＳ８，Ｓ２８において、選択させる次の印刷処理として、例えば、次のような選択肢も可能である。即ち、対象の印刷用紙と同種・同サイズの印刷用紙を他の給紙カセットにセットしておく。そして、警告出力の際に、他の給紙カセットにセットされている印刷用紙を選択させる選択肢があっても構わない。なお、他の給紙カセットにセットされている印刷用紙が選択されると、ステップＳ３，Ｓ１３からの処理が再び開始される。
【００９４】
なお、上記の処理機能は、コンピュータによって実現することができる。その場合、印刷装置１，１０が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリなどが挙げられる。磁気記録装置としては、例えば、ハードディスク装置（ＨＤＤ）、フレキシブルディスク（ＦＤ）、磁気テープなどが挙げられる。光ディスクとしては、例えば、ＤＶＤ（Digital Versatile Disc）、ＤＶＤ−ＲＡＭ、ＣＤ−ＲＯＭ（Compact Disc Read Only Memory）、ＣＤ−Ｒ（Recordable）／ＲＷ（ReWritable）などが挙げられる。光磁気記録媒体としては、例えば、ＭＯ（Magneto-Optical disk）などが挙げられる。
【００９５】
プログラムを流通させる場合には、例えば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【００９６】
印刷制御プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００９７】
（付記１）  通信回路を介して印刷データを受信する通信手段と、
印刷時の環境状態を表す環境情報を検出する環境情報検出手段と、
前記環境情報検出手段で検出された前記環境情報に基づいて、印刷の可否を判定する判定手段と、
前記判定手段が印刷可を判定した場合に、前記通信手段が受信した前記印刷データに基づき印刷用紙に印刷出力を実行する印刷手段と、
を有することを特徴とする印刷装置。
【００９８】
（付記２）  前記判定手段は、前記環境情報に基づいて前記印刷用紙が印刷に適する吸湿量であるかを判定することを特徴とする付記１記載の印刷装置。
（付記３）  前記環境情報は、前記印刷用紙がセットされてから新たに印刷が行われるまでの放置時間を有することを特徴とする付記1記載の印刷装置。
【００９９】
（付記４）  前記環境情報は、最後に印刷が行われてから新たに印刷が行われるまでの前記印刷用紙の放置時間を有することを特徴とする付記１記載の印刷装置。
（付記５）  印刷不可である場合の前記環境情報を示す閾値情報が格納された閾値情報格納手段をさらに有し、
前記判定手段は、前記閾値情報格納手段に格納された前記閾値情報と、前記環境情報検出手段で検出された前記環境情報とに基づき印刷の可否を判定する、
ことを特徴とする付記１記載の印刷装置。
【０１００】
（付記６）  前記環境情報は印刷時の温度を表す温度情報を有し、
前記閾値情報は印刷不可である場合の温度を表す不可温度情報を有する、
ことを特徴とする付記５記載の印刷装置。
【０１０１】
（付記７）  前記環境情報は印刷時の湿度を表す湿度情報を有し、
前記閾値情報は印刷不可である場合の湿度を表す不可湿度情報を有する、
ことを特徴とする付記５記載の印刷装置。
【０１０２】
（付記８）  前記環境情報は印刷時の日時を表す日時情報を有し、
前記閾値情報は印刷可である場合の期間を表す期間情報を有する、
ことを特徴とする付記５記載の印刷装置。
【０１０３】
（付記９）  前記期間では前記印刷用紙の吸湿量が印刷に適していることを特徴とする付記８記載の印刷装置。
（付記１０）  前記環境情報は前記印刷装置の設置位置に関する位置情報を有し、
前記閾値情報は印刷可である場合の地域を表す地域情報を有する、
ことを特徴とする付記５記載の印刷装置。
【０１０４】
（付記１１）  前記地域では前記印刷用紙の吸湿量が印刷に適していることを特徴とする付記１０記載の印刷装置。
（付記１２）  前記判定手段が印刷不可を判定した場合に、
前記通信手段に当該不可を外部に通知させる警告出力手段を有する、
ことを特徴とする付記１記載の印刷装置。
【０１０５】
（付記１３）  印刷データを送信する情報処理装置と、
通信回路を介して前記情報処理装置から前記印刷データを受信する通信手段と、
印刷時の環境状態を表す環境情報を検出する環境情報検出手段と、
前記環境情報検出手段で検出された前記環境情報に基づいて、印刷の可否を判定する判定手段と、
前記判定手段が印刷可を判定した場合に、前記印刷データに基づき印刷用紙に印刷出力を実行する印刷手段と、
を有する印刷装置と、
を有することを特徴とする印刷システム。
【０１０６】
（付記１４）  通信手段が、通信回路を介して印刷データを受信し、
環境情報検出手段が、印刷時の環境状態を表す環境情報を検出し、
判定手段が、前記環境情報検出手段で検出された前記環境情報に基づいて、印刷の可否を判定し、
印刷手段が、前記判定手段が印刷可を判定した場合に、前記印刷データに基づき印刷用紙に印刷出力を実行する、
ことを特徴とする印刷制御方法。
【０１０７】
（付記１５）  コンピュータを、
通信回路を介して印刷データを受信する通信手段、
印刷時の環境状態を表す環境情報を検出する環境情報検出手段、
前記環境情報検出手段で検出された前記環境情報に基づいて、印刷の可否を判定する判定手段、
前記判定手段が印刷可を判定した場合に、前記印刷データに基づき印刷用紙に印刷出力を実行する印刷手段、
として機能させることを特徴とする印刷制御プログラム。
【符号の説明】
【０１０８】
１，１０  印刷装置
１ａ  閾値情報格納手段
１ｂ  通信手段
１ｃ  環境情報検出手段
１ｄ  判定手段
１ｅ  印刷手段
１ｆ  警告出力手段
１０ａ  ＣＰＵ
１０ｂ  記憶部
１０ｃ  印刷部
１０ｄ  表示部
１０ｄ１  表示パネル
１０ｅ  操作入力部
１０ｅ１  操作部
１０ｆ  通信インタフェース
１０ｇ  バス
１１  閾値情報格納部
１２  通信部
１３  印字面指定部
１４  判定部
１５  制御部
１６  印刷部
１７  環境情報検出部
１８  計測部
１９  警告出力部
２０  ネットワーク
３０ａ，３０ｂ，３０ｃ  パーソナルコンピュータ
４０  インターネット
５０  設定画面
５１  基本設定領域
５１ａ  放置時間設定領域
５１ｂ  除外期間設定領域
５１ｃ  除外地域設定領域
５２  温度・湿度設定領域
５２ａ  両面不可温度設定領域
５２ｂ  両面不可湿度設定領域
５２ｃ  片面不可温度設定領域
５２ｄ  片面不可温度設定領域
５３  設定ボタン
５４  リセットボタン
６０，７０  警告出力画面
６１，７１  印刷処理選択領域
６２，７２  ＯＫボタン
１００  印刷システム
Ａ  給紙部
Ａ１，Ａ２，Ａ３，Ａ４  給紙カセット
Ｂ  排紙部
Ｂ１  カバー
Ｃ  カートリッジ
Ｃ１  設置位置
Ｄ  両面ユニット部
Ｘ，Ｙ  搬送方向
【図１】
2010280125.tif 000003
【図２】
2010280125.tif 000004
【図３】
2010280125.tif 000005
【図４】
2010280125.tif 000006
【図５】
2010280125.tif 000007
【図６】
2010280125.tif 000008
【図７】
2010280125.tif 000009
【図８】
2010280125.tif 000010
【図９】
2010280125.tif 000011
【図１０】
2010280125.tif 000012
【図１１】
2010280125.tif 000013
【図１２】
2010280125.tif 000014
【図１３】
2010280125.tif 000015